(57)【要約】【課題】通知情報が隠蔽された状態から、通知情報が表示された紙片の一部を切り離すことなく容易に開封して通知情報を視認させ、また、保管に適したものとする。【解決手段】本体片１０の情報表示部１２に表示された通知情報が隠蔽片２０によって隠蔽される構成において、本体片１０と隠蔽片２０との間に介在する切り取り片３０が切り取られ、隠蔽片２０に設けられた２本の開封用切り離し線２３ａ，２３ｂが破断されていき、隠蔽片２０の開封用切り離し線２３ａ，２３ｂに挟まれた領域が捲り上げられることにより、通知情報が視認される。【選択図】図１
2015123659.tif 000002
【特許請求の範囲】
【請求項１】
本体片と隠蔽片とが切り取り片を介して連接し、前記切り取り片の前記本体片と隠蔽片との連接方向中央部に設けられた折り部を中心として折り畳まれることにより、前記本体片に表示された通知情報を前記隠蔽片によって隠蔽する隠蔽シートであって、
前記本体片は、
折り畳み状態内側となる面のうち前記切り取り片との連接辺に沿う領域に設けられ、前記通知情報が表示される情報表示部と、
前記情報表示部の周囲のうち前記切り取り片との連接辺以外の領域に渡って設けられ、折り畳み状態にて前記隠蔽片と貼着される第１の貼着部とを有し、
前記隠蔽片は、
前記折り部を中心として折り畳まれた場合に前記第１の貼着部に対向する領域に設けられ、折り畳み状態にて前記本体片と貼着される第２の貼着部と、
前記切り取り片との連接辺から、前記第２の隠蔽層を挟むようにして当該隠蔽片と前記本体片との連接方向に延びた２本の開封用切り離し線とを有し、
前記本体片及び前記隠蔽片と前記切り取り片との連接辺は、それぞれ切り離し可能に構成されている隠蔽シート。
【請求項２】
請求項１に記載の隠蔽シートにおいて、
前記本体片の前記情報表示部とは反対側の面のうち前記情報表示部に対向する領域に積層された第１の隠蔽層と、前記隠蔽片の前記折り部を中心として折り畳まれた場合に前記情報表示部に対向する領域に積層された第２の隠蔽層とのうち、少なくともいずれか一方を有する隠蔽シート。
【請求項３】
請求項１または請求項２に記載の隠蔽シートにおいて、
前記隠蔽片は、前記切り取り片とは反対側の辺部に沿って、前記第２の貼着部と前記第２の隠蔽層との間に、前記２本の開封用切り離し線と交差する取り去り用切り離し線を有する隠蔽シート。
【発明の詳細な説明】
【技術分野】
【０００１】
本発明は、表示された通知情報を隠蔽可能な隠蔽シートに関する。
【背景技術】
【０００２】
近年、情報化社会の進展に伴って、情報を用いた手続きや処理が一般化している。その中で、手続きや処理に用いられる情報が不正あるいは偶発的に取得され、悪用されるケースが多発している。このような情報として、登記簿等の重要書類に表示された情報においては、秘匿性を維持することが好ましく、公共機関等にてそのような情報が表示された書類が発行される際においても、請求人以外の者が情報を視認できないようにすることが望ましい。
【０００３】
ここで、折り畳み可能に連接した複数の紙片を折り畳んで貼着することにより、折り畳み状態内側となる面に表示された情報を隠蔽可能とするシートが、例えば特許文献１，２に開示されている。
【０００４】
特許文献１に開示されたシートは、折り部を介して折り畳み可能に連接した２つの領域のそれぞれについて、折り部以外の周縁部に封着部を設けるとともに、この封着部の内側に開封用ミシン目を設けておき、折り部を中心として折り畳んで封着部にて２つの領域を貼着することにより、折り畳み状態内側となる面に印字された情報を隠蔽するものである。そして、開封用ミシン目を破断して封着部を取り去ることによって開封し、通知情報を視認可能としている。
【０００５】
また、特許文献２に開示されたシートは、３つの紙片が折り畳み可能に連接し、これら３つの紙片のうち隣り合う２つの紙片の折り畳み状態内側となる面に隠蔽情報を表示するとともに剥離可能な接着剤を塗布しておき、この２つの紙片を、折り部を中心として折り畳んで剥離可能に貼着することにより、隠蔽情報を隠蔽するものである。そして、２つの紙片を剥離して見開くことによって開封し、隠蔽情報を視認可能としている。
【０００６】
このような構成を用いることにより、情報を隠蔽した状態で書類を発行あるいは送付することができるようになる。
【先行技術文献】
【特許文献】
【０００７】
【特許文献１】特開平０６−２７８３８８号公報
【特許文献２】特開平０８−３１０１６４号公報
【発明の概要】
【発明が解決しようとする課題】
【０００８】
ところで、特許文献１に開示されたものにおいては、開封する際に、２つの領域にそれぞれ設けられた開封用ミシン目を破断して封着部を取り去ることになるため、上述したような登記簿等の重要書類においても、この構成を採用した場合はその一部を切り離すことになる。
【０００９】
また、特許文献２に開示されたものにおいては、隠蔽情報が表示された面には接着剤が塗布されているため、開封した後、隠蔽情報が表示された面上に接着剤が表出し、接着剤の種類によっては、隠蔽情報が表示された面がべたついたり、紙片がカールしてしまったりする。
【００１０】
しかしながら、登記簿等の重要書類においては、外形形状を損なうことなく開封及び保管することが要求されるものが多く、そのため、開封する際にミシン目を用いてその一部を切り離したり、開封した後にカールしたり表面に接着剤が表出したりすることは好ましくはない。
【００１１】
本発明は、上述したような従来に技術が有する問題点に鑑みてなされたものであって、通知情報が隠蔽された状態から、通知情報が表示された紙片の一部を切り離すことなく容易に開封することができ、また、保管に適した隠蔽シートを提供することを目的とする。
【課題を解決するための手段】
【００１２】
上記目的を達成するために本発明は、
本体片と隠蔽片とが切り取り片を介して連接し、前記切り取り片の前記本体片と隠蔽片との連接方向中央部に設けられた折り部を中心として折り畳まれることにより、前記本体片に表示された通知情報を前記隠蔽片によって隠蔽する隠蔽シートであって、
前記本体片は、
折り畳み状態内側となる面のうち前記切り取り片との連接辺に沿う領域に設けられ、前記通知情報が表示される情報表示部と、
前記情報表示部の周囲のうち前記切り取り片との連接辺以外の領域に渡って設けられ、折り畳み状態にて前記隠蔽片と貼着される第１の貼着部とを有し、
前記隠蔽片は、
前記折り部を中心として折り畳まれた場合に前記第１の貼着部に対向する領域に設けられ、折り畳み状態にて前記本体片と貼着される第２の貼着部と、
前記切り取り片との連接辺から、前記第２の隠蔽層を挟むようにして当該隠蔽片と前記本体片との連接方向に延びた２本の開封用切り離し線とを有し、
前記本体片及び前記隠蔽片と前記切り取り片との連接辺は、それぞれ切り離し可能に構成されている。
【００１３】
上記のように構成された本発明においては、切り取り片に設けられた折り部を中心として折り畳まれて第１の貼着部と第２の貼着部にて本体片と隠蔽片とが貼着されると、情報表示部に表示された通知情報が隠蔽片によって覆われ、隠蔽された状態となる。その後、通知情報が視認される場合は、本体片と隠蔽片との間に介在する切り取り片が切り離されると、隠蔽片の端辺にて２本の開封用切り離し線の端部が露出し、この端部から開封用切り離し線が破断されていき、隠蔽片の２本の開封用切り離し線に挟まれ、第１の貼着部と第２の貼着部が設けられていない領域が捲り上げられることにより、情報表示部が表出し、情報表示部に表示された通知情報が視認可能な状態となる。
【００１４】
このように、本体片と隠蔽片とが第１の貼着部と第２の貼着部にて貼着され、本体片に設けられた情報表示部に表示された通知情報が隠蔽片によって隠蔽される構成において、本体片と隠蔽片とを折り畳むための折り部側となる切り取り片が切り離され、隠蔽片に設けられた２本の開封用切り離し線が破断されていき、隠蔽片の２本の開封用切り離し線に挟まれ、第１の貼着部と第２の貼着部が設けられていない領域が捲り上げられることにより、通知情報が視認されるので、本体片の一部を切り離すことなく容易に開封して通知情報が視認可能となり、またその際、本体片と隠蔽片とを貼着している第１の貼着部と第２の貼着部とを剥離する必要がなく、本体片がカールしたり粘着剤が表出したりすることがない。
【００１５】
また、本体片の情報表示部とは反対側の面のうち情報表示部に対向する領域に積層された第１の隠蔽層と、隠蔽片の折り部を中心として折り畳まれた場合に情報表示部に対向する領域に積層された第２の隠蔽層とのうち、少なくともいずれか一方を有する構成とすれば、隠蔽シートを光に翳した場合でも、情報表示部に表示された通知情報が透かして見えてしまうことが回避される。
【００１６】
また、隠蔽片において、切り取り片とは反対側の辺部に沿って、第２の貼着部と第２の隠蔽層との間に、２本の開封用切り離し線と交差する取り去り用切り離し線が設けられていれば、隠蔽片の２本の開封用切り離し線に挟まれた領域が捲り上げられた後、その領域を切り離すことができ、本体片の保管にさらに適した形態となる。
【発明の効果】
【００１７】
本発明によれば、本体片と隠蔽片とが第１の貼着部と第２の貼着部にて貼着され、本体片に設けられた情報表示部に表示された通知情報が隠蔽片によって隠蔽される構成において、本体片と隠蔽片とを折り畳むための折り部側となる切り取り片が切り離され、隠蔽片に設けられた２本の開封用切り離し線が破断されていき、隠蔽片の２本の開封用切り離し線に挟まれ、第１の貼着部と第２の貼着部が設けられていない領域が捲り上げられることにより、通知情報が視認されることになるため、通知情報が隠蔽された状態から、通知情報が表示された紙片の一部を切り離すことなく容易に開封して通知情報を視認させることができ、またその際、本体片と隠蔽片とを貼着している第１の貼着部と第２の貼着部とを剥離する必要がないことにより、本体片がカールしたり粘着剤が表出したりすることがなく、保管に適したものとすることができる。
【００１８】
また、本体片の情報表示部とは反対側の面のうち情報表示部に対向する領域に積層された第１の隠蔽層と、隠蔽片の折り部を中心として折り畳まれた場合に情報表示部に対向する領域に積層された第２の隠蔽層とのうち、少なくともいずれか一方を有するものにおいては、隠蔽シートを光に翳した場合でも、情報表示部に表示された通知情報が透かして見えてしまうことを回避できる。
【００１９】
また、隠蔽片が、切り取り片とは反対側の辺部に沿って、第２の貼着部と第２の隠蔽層との間に、２本の開封用切り離し線と交差する取り去り用切り離し線を有するものにおいては、隠蔽片の２本の開封用切り離し線に挟まれた領域が捲り上げられた後、その領域を切り離すことができ、本体片の保管にさらに適した形態とすることができる。
【図面の簡単な説明】
【００２０】
【図１】本発明の隠蔽シートの実施の一形態を示す図であり、（ａ）は表面図、（ｂ）は裏面図である。
【図２】図１に示した隠蔽シートにおいて、情報表示部に表示された通知情報が隠蔽片によって隠蔽される状態とするまでの使用方法を説明するための図であり、（ａ）は情報表示部に通知情報が表示された状態における表面図、（ｂ）は隠蔽片が折り畳まれていく状態における表面図、（ｃ）は隠蔽片が折り畳まれた状態における表面図、（ｄ）は隠蔽片が折り畳まれた状態における裏面図、（ｅ）は（ｃ）に示したＡ−Ａ’断面図である。
【図３】図１に示した隠蔽シートの開封方法を説明するための図であり、（ａ）は切り取り片が切り離されていく状態を示す図、（ｂ）は切り取り片が切り離された状態を示す図、（ｃ）は開封用切り離し線が破断されていく状態を示す図、（ｄ）は開封用切り離し線が完全に破断された状態を示す図、（ｅ）は取り去り用切り離し線が破断されていく状態を示す図、（ｆ）は取り去り用切り離し線が完全に破断された状態を示す図である。
【発明を実施するための形態】
【００２１】
以下に、本発明の実施の形態について図面を参照して説明する。
【００２２】
図１は、本発明の隠蔽シートの実施の一形態を示す図であり、（ａ）は表面図、（ｂ）は裏面図である。
【００２３】
本形態は図１に示すように、本体片１０と隠蔽片２０とが切り取り片３０を介して連接した隠蔽シート１である。
【００２４】
切り取り片３０は、本体片１０及び隠蔽片２０との連接方向中央部に、該連接方向に直交する方向の全幅に渡ってマイクロミシンからなる折り部３２が形成されている。また、本体片１０及び隠蔽片２０との連接辺にはマイクロミシンからなる連接用切り離し線３３ａ，３３ｂがそれぞれ形成されており、それにより、切り取り片３０が本体片１０及び隠蔽片２０とは切り離し可能に連接している。また、切り取り片３０の表面には、本体片１０及び隠蔽片２０との連接方向に直交する方向の両端部に、粘着剤が塗工されることによって貼着部３１が設けられている。また、切り取り片３０の裏面には、切り取り片３０の取り扱い方を示す説明情報３４が表示されている。
【００２５】
隠蔽片２０の表面には、連接用切り離し線３３ｂによる切り取り片３０との連接辺以外の３つの辺に沿って、この３つの辺から所定の幅に粘着剤が塗工されることによって第２の貼着部２２が設けられている。また、貼着部２２に取り囲まれるように、地紋等の印刷が施されることによって第２の隠蔽層２１が積層されている。また、隠蔽片２０の連接用切り離し線３３ｂとは反対側の辺に沿って、貼着部２２と隠蔽層２１との間に、本体片１０との連接方向に直交する方向の全幅に渡ってマイクロミシンからなる取り去り用切り離し線２４が形成されている。また、取り去り用切り離し線２４と連接用切り離し線３３ｂとの間において、隠蔽層２１を挟むように本体片１０との連接方向に延びたマイクロミシンからなる２本の開封用切り離し線２３ａ，２３ｂが形成されている。また、隠蔽片２０の裏面には、開封用切り離し線２３ａ，２３ｂと取り去り用切り離し線２４と連接用切り離し線３３ｂとに囲まれた領域に、この隠蔽シート１の開封方法を示す説明情報２５が表示されている。
【００２６】
本体片１０の表面には、この隠蔽シート１が折り部３２を中心として折り畳まれた場合に貼着部２２に対向する領域に、粘着剤が塗工されることによって第１の貼着部１３が設けられているとともに、隠蔽層２１に対向する領域に、この隠蔽シート１を用いて通知する通知情報が表示される情報表示部１２が設けられている。また、隠蔽シート１が折り部３２を中心として折り畳まれた場合に隠蔽片２０に対向しない領域に、この隠蔽シート１の提供先の氏名等からなる基本情報１１が表示されている。また、本体片１０の裏面には、情報表示部１２に対向する領域に、地紋等の印刷が施されることによって第１の隠蔽層１４が積層されている。
【００２７】
このように構成された隠蔽シート１は、貼着部１３，２２，３１が設けられた面が内側となるように折り部３２を中心として折り畳まれて使用されることになる。すなわち、本体片１０においては、折り畳み状態内側となる面のうち切り取り片３０との連接辺に沿う領域に、通知情報が表示される情報表示部１２が設けられるとともに、情報表示部１２の周囲のうち切り取り片３０との連接辺以外の領域に渡って貼着部１３が設けられ、さらに、情報表示部１２とは反対側の面のうち情報表示部１２に対向する領域に隠蔽層１４が積層されていることになる。また、隠蔽片２０においては、この隠蔽シート１が折り部３２を中心として折り畳まれた場合に情報表示部１２に対向する領域に隠蔽層２１が積層されるとともに、この隠蔽シート１が折り部３２を中心として折り畳まれた場合に貼着部１３に対向する領域に貼着層２２が設けられ、さらに、切り取り片３０との連接辺から、隠蔽層２１を挟むようにして隠蔽片２０と本体片１０との連接方向に延びた２本の開封用切り離し線２３ａ，２３ｂが形成されていることになる。さらに、隠蔽片２０には、切り取り片３０とは反対側の辺部に沿って、貼着部２２と隠蔽層２１との間に、開封用切り離し線２３ａ，２３ｂと交差する取り去り用切り離し線２４が形成されていることになる。そして、折り畳み状態にて貼着部１３と貼着部２２とが貼着されることにより、本体片１０と隠蔽片２０とが貼着されることになる。
【００２８】
以下に、上記のように構成された隠蔽シート１の使用方法について説明する。
【００２９】
まず、情報表示部１２に表示された通知情報が隠蔽片２０によって隠蔽される状態とするまでの使用方法について説明する。
【００３０】
図２は、図１に示した隠蔽シート１において、情報表示部１２に表示された通知情報が隠蔽片２０によって隠蔽される状態とするまでの使用方法を説明するための図であり、（ａ）は情報表示部１２に通知情報が表示された状態における表面図、（ｂ）は隠蔽片２０が折り畳まれていく状態における表面図、（ｃ）は隠蔽片２０が折り畳まれた状態における表面図、（ｄ）は隠蔽片２０が折り畳まれた状態における裏面図、（ｅ）は（ｃ）に示したＡ−Ａ’断面図である。
【００３１】
図１に示した隠蔽シート１は、まず図２（ａ）に示すように、この隠蔽シート１を用いて通知する通知情報１５が情報表示部１２に印字されることによって表示される。
【００３２】
情報表示部１２に通知情報１５が表示された後、図２（ｂ）に示すように、隠蔽シート１が、貼着部１３，２２，３１が設けられた面が内側となるように折り部３２を中心として折り畳まれていく。
【００３３】
隠蔽シート１が折り部３２を中心として完全に折り畳まれると、貼着部１３と貼着部２２とが対向し、本体片１０と隠蔽片２０とが貼着部１３，２２によって貼着されることになる。またこの際、切り取り片３０においても、折り部３２を介して本体片１０側の領域と隠蔽片２０側の領域とが対向し、これら本体片１０側の領域と隠蔽片２０側の領域とが貼着部３１にて貼着されることになる。このような状態においては、図２（ｃ），（ｄ）に示すように、情報表示部１２に表示された通知情報１５が隠蔽片２０によって覆われて隠蔽された状態となる。
【００３４】
またこの際、図２（ｅ）に示すように、情報表示部１２に表示された通知情報１５は、本体片１０の裏面に積層された隠蔽層１４と隠蔽片２０の表面に積層された隠蔽層２１とに挟まれた状態となる。そのため、隠蔽シート１を光に翳した場合でも、情報表示部１２に表示された通知情報１５が透かして見えてしまうことが回避される。なお、このように通知情報１５が透かして見えてしまうことを回避するための隠蔽層１４，２１としては、上述したように地紋等の印刷が施されることによって積層されたものが考えられるが、地紋を文字柄パターンから構成し、この文字柄パターンを、例えば、通知情報１５の文字種（数字、記号等を含む）と同文字種を天地逆転や斜め等にランダム配置することが考えられる。また、このような文字柄パターンを、顔料インクを用いて印刷することにより、上記のような透かし回避の効果を得やすくなる。
【００３５】
このようにして、情報表示部１２に表示された通知情報１５が隠蔽された状態となる。また、この状態においては、本体片１０と隠蔽片２０とが貼着部１３，２２にて貼着されているとともに、切り取り片３０の折り部３２を介して本体片１０側の領域と隠蔽片２０側の領域とが貼着部３１にて貼着されているため、本体片１０と隠蔽片２０、さらに切り取り片３０の折り部３２を介して本体片１０側の領域と隠蔽片２０側の領域とは、それぞれその周縁部からは剥離困難な状態となっている。
【００３６】
このように、情報表示部１２に通知情報１５が表示された後、折り部３２を中心として折り畳み、貼着部１３，２２にて本体片１０と隠蔽片２０とを貼着するだけで、速やかに通知情報１５が隠蔽された状態とすることができる。
【００３７】
次に、隠蔽シート１を開封して通知情報１５を視認する際の使用方法について説明する。
【００３８】
図３は、図１に示した隠蔽シート１の開封方法を説明するための図であり、（ａ）は切り取り片３０が切り離されていく状態を示す図、（ｂ）は切り取り片３０が切り離された状態を示す図、（ｃ）は開封用切り離し線２３ａ，２３ｂが破断されていく状態を示す図、（ｄ）は開封用切り離し線２３ａ，２３ｂが完全に破断された状態を示す図、（ｅ）は取り去り用切り離し線２４が破断されていく状態を示す図、（ｆ）は取り去り用切り離し線２４が完全に破断された状態を示す図である。
【００３９】
図２（ｃ）〜（ｅ）に示した状態から隠蔽シート１を開封する場合は、まず、切り取り片３０に表示された説明情報３４に従って、図３（ａ）に示すように、連接用切り離し線３３ａ，３３ｂが破断されることによって切り取り片３０が本体片１０及び隠蔽片２０から切り離されていく。
【００４０】
連接用切り離し線３３ａ，３３ｂが破断され、図３（ｂ）に示すように切り取り片３０が本体片１０及び隠蔽片２０から切り離されると、隠蔽片２０の切り取り片３０との連接辺にて開封用切り離し線２３ａ，２３ｂの端部が露出する。
【００４１】
そして、隠蔽片２０に表示された説明情報２５に従って、図３（ｃ）に示すように、露出した端部から開封用切り離し線２３ａ，２３ｂが破断されていく。
【００４２】
開封用切り離し線２３ａ，２３ｂが完全に破断され、隠蔽片２０の開封用切り離し線２３ａ，２３ｂに挟まれた領域が捲り上げられると、図３（ｄ）に示すように、情報表示部１２が表出し、情報表示部１２に表示された通知情報１５が視認可能な状態となる。隠蔽片２０の開封用切り離し線２３ａ，２３ｂに挟まれた領域は、貼着部１３，２２が設けられていない領域であるため、開封用切り離し線２３ａ，２３ｂを破断することにより、捲り上げることができる。
【００４３】
このように、切り取り片３０を本体片１０及び隠蔽片２０から切り離し、露出した端部から開封用切り離し線２３ａ，２３ｂを破断していくだけで、情報表示部１２に表示された通知情報１５を容易に確認することができる。
【００４４】
また、このようにして開封された隠蔽シート１は、その外形が本体片１０の外形と同一のものであるため、本体片１０のサイズに応じた保管用具または保管領域にて保管することができる。
【００４５】
また、本体片１０と隠蔽片２０とを貼着している貼着部１３，２２は、互いに貼着されたままの状態となっている。
【００４６】
その後、隠蔽片２０に表示された説明情報２５に従って、図３（ｅ）に示すように取り去り用切り離し線２４のうち開封用切り離し線２３ａ，２３ｂに挟まれた領域が破断されていき、図３（ｆ）に示すように、隠蔽片２０の開封用切り離し線２３ａ，２３ｂと取り去り用切り離し線２４とで囲まれた領域が隠蔽片２０から切り離される。
【００４７】
それにより、本体片１０には隠蔽片２０のうち貼着部１３，２２にて貼着された領域のみが残り、本体片１０のみのような形態となり、さらに保管しやすくなる。
【００４８】
本形態における隠蔽はがき１は上述したように、本体片１０と隠蔽片２０との間に介在する切り取り片３０が、本体片１０及び隠蔽片２０と切り取り片３０との間にそれぞれ形成された連接用切り離し線３３ａ，３３ｂを破断することによって本体片１０及び隠蔽片２０から切り離され、その後、隠蔽片２０に形成された開封用切り離し線２３ａ，２３ｂが破断され、隠蔽片２０の開封用切り離し線２３ａ，２３ｂに挟まれた領域が捲り上げられることにより、情報表示部１２が表出し、情報表示部１２に表示された通知情報１５が視認可能な状態となるため、本体片１０の情報表示部１２に表示された通知情報１５を視認するために、本体片１０から情報表示部１２を切り離す等、本体片１０の一部を切り離す必要がなく、それにより、登記簿等の重要書類においても、外形形状を損なうことなく情報表示部１２を一体としたまま開封及び保管することができる。またその際、本体片１０と隠蔽片２０とを貼着している貼着部１３，２２が、互いに貼着されたままの状態となっているため、通知情報１５を視認可能な状態とした場合においても、本体片１０や隠蔽片２０がカールしたり粘着剤が表出したりすることがなく、それによっても保管に適したものとすることができる。
【００４９】
なお、本形態においては、切り取り片３０に折り部３２としてマイクロミシンを形成しているが、折り部３２としては、マイクロミシンに限らず、すじ押し加工等であってもよい。
【００５０】
また、本体片１０及び隠蔽片２０と切り取り片３０とが、切り取り片３０の本体片１０及び隠蔽片２０との連接辺に形成されたマイクロミシンからなる連接用切り離し線３３ａ，３３ｂによって切り離し可能に構成されているが、切り取り片３０の本体片１０及び隠蔽片２０との連接辺に、これらの切り離しを指示する指示線等を印刷しておくだけでもよい。
【００５１】
また、取り去り用切り離し線２４は必ずしも必要ではないが、取り去り用切り離し線２４を形成しておくことにより、上述したように、取り去り用切り離し線２４のうち開封用切り離し線２３ａ，２３ｂに挟まれた領域が破断されることにより、隠蔽片２０の開封用切り離し線２３ａ，２３ｂと取り去り用切り離し線２４とで囲まれた領域が隠蔽片２０から切り離され、本体片１０をさらに保管しやすくなる。
【００５２】
また、隠蔽層２１は隠蔽片２０の表面ではなく、隠蔽片２０の裏面のうち、本形態における隠蔽層２１に対向する領域に積層されていてもよく、また、隠蔽片２１の表裏にそれぞれ積層されていてもよい。その場合でも、隠蔽層２１が積層された領域は、隠蔽シート１が折り部３２を中心として折り畳まれた場合に情報表示部１２に対向する領域となる。また、隠蔽層１４，２１が設けられていなくても、情報表示部１２に表示された通知情報１５を隠蔽するには十分であり、また、本体片１０や隠蔽片２０を構成するシートの材質等によっては、隠蔽層１４，２１が設けられていなくても、隠蔽シート１を光に翳した場合でも、情報表示部１２に表示された通知情報１５が透かして見えてしまうことが回避される。
【００５３】
また、貼着部１３，２２は、隠蔽シート１が折り部３２を中心として折り畳まれた場合に互いに貼着されればよく、そのためには、少なくともいずれか一方に粘着剤が塗工されていればよい。
【産業上の利用可能性】
【００５４】
本発明は、登記簿等の証明書に適用することができる。
【符号の説明】
【００５５】
１    隠蔽シート
１０    本体片
１１    基本情報
１２    情報表示部
１３，２２，３１    貼着部
１４，２１    隠蔽層
１５    通知情報
２０    隠蔽片
２３ａ，２３ｂ    開封用切り離し線
２４    取り去り用切り離し線
２５，３４    説明情報
３０    切り取り片
３２    折り部
３３ａ，３３ｂ    連接用切り離し線
【図１】
2015123659.tif 000003
【図２】
2015123659.tif 000004
【図３】
2015123659.tif 000005